(57)【特許請求の範囲】
【請求項１】
記録媒体に記録された静止画像を連続的に一画面ごと再生するデジタルカメラにおいて、
記録媒体に記録された画像データから記録最終画を読み取り、前記読み取った記録最終画と記録最初画との間にブランク画を１コマ挿入し、記録最終画の次には前記挿入されたブランク画を、該ブランク画の次には最初記録画を連続的に再生することを特徴とするデジタルカメラ。
【請求項２】
記録媒体に記録された静止画像を一画面に多数画で再生しマルチ画表示するデジタルカメラにおいて、
記録媒体に記録された画像データから記録最終画を読み取り、前記読み取った記録最終画と記録最初画との間にブランク画を１コマ挿入し、記録最終画の次には前記挿入されたブランク画を、該ブランク画の次には最初記録画を連続的に表示することを特徴とするデジタルカメラ。
【発明の詳細な説明】
【０００１】
【発明の属する技術分野】
本発明は、デジタルカメラに関し、再生時に最終の記録画であることを表示する手段を設けたデジタルカメラに関する。
【０００２】
【従来の技術】
従来、デジタルカメラで記録された多数の静止画の再生は、再生画送り操作を行うことで、記録順に記録画を１コマずつ再生して見ることができる。しかしながら、記録順に再生画送りを繰り返していくと、記録最終画の次の画は、最初に記録された記録最初画が再生される。すなわち、ユーザーが記録媒体に記録された画を確認する場合、どの画が最終記録画なのか確認できなかった。特に、類似画が続く時は、確認が困難であった。
【０００３】
【発明が解決しようとする課題】
上記の従来方式では、最終記録画の認識ができず、誤って記録最終画で終わらず最初に記録された記録最初画を再生していまうと言った不具合があった。
また、プレゼンテーションで再生画を見せる時に、最終画が出て説明が終わっているにも関わらず、最終画と分からずに記録最初画を再度再生してしまうこともあった。
【０００４】
本願発明の目的は、記録媒体に記録された静止画像を連続に一画ごと再生する一画再生方法において、記録媒体に記録された最終画に記録最終画であることを認識できるように表示するようにしたデジタルカメラを提供することにある。
【０００５】
【課題を解決するための手段】
本発明は、記録媒体に記録された静止画像を連続的に一画面ごと再生するデジタルカメラにおいて、記録媒体に記録された画像データから記録最終画を読み取り、前記読み取った記録最終画と記録最初画との間にブランク画を１コマ挿入し、記録最終画の次には前記挿入されたブランク画を、該ブランク画の次には最初記録画を連続的に再生することを特徴とするデジタルカメラに関する。
【０００６】
また、記録媒体に記録された静止画像を一画面に多数画で再生しマルチ画表示するデジタルカメラにおいて、記録媒体に記録された画像データから記録最終画を読み取り、前記読み取った記録最終画と記録最初画との間にブランク画を１コマ挿入し、記録最終画の次には前記挿入されたブランク画を、該ブランク画の次には最初記録画を連続的に表示することを特徴とするデジタルカメラに関する。
【０００７】
また、上記デジタルカメラにおいて、前記記録最終画識別手段は記録最終画と記録最初画との間に記録画を再生しないブランク画を挿入し表示する。
【０００８】
上記構成によれば、記録媒体に記録された静止画像を一画またはマルチ画再生するデジタルカメラの再生時に、記録媒体に記録された最終画を認識し確認できることにより、不用意に最初の記録画を再生してしまうことが起きない。
【０００９】
【発明の実施の形態】
以下、図面を用いて本発明の実施の形態を説明する。
図１は本発明によるデジタルカメラの外観図である。図において、カメラ１には再生画を表示する液晶モニタ２、再生送りボタン３ａ、マルチ画面再生ボタン３ｂが配置されている。その他、図示していないがカメラとして必要な機能が装備されている。
【００１０】
図２は本発明によるデジタルカメラの回路ブロック図であり、レンズ４や絞り５によって撮像系が構成され、ＣＣＤ６で光電変換し、ＣＤＳ７でＣＣＤ６からの信号に同期信号等を挿入して所定の映像信号を作成後、Ａ／Ｄ変換器８でデジタル信号に変換され、圧縮部９により帯域の圧縮がなされた後、メモリコントロール１０に供給され、メモリコントロール１０はＣＰＵ１２からの所定の信号を受けてメモリ１１に書き込みをする。
【００１１】
１画面再生する場合は、ＣＰＵ１２から所定の信号をメモリコントロール１０に送り、メモリコントロール１０は決められた画像データをメモリ１１から読み出し、再生回路１４へ送出する。画像データの読み出し順序は撮影時、画像データ内に記録された情報により撮影時間順に行われる。一画再生では、再生回路１４は所定の液晶再生信号に処理し、液晶モニタ１５に再生画が表示される。
【００１２】
記録最終画がメモリ１１から読み出された時は、ＣＰＵ１２が記録最終画であることを画像データから読み取り、ＣＰＵ１２は次の再生画にブランク画を設定する。記録最終画の再生から再生送りボタン３ａが押された時はＣＰＵ１２はブランク画を再生する。
【００１３】
次に、再び再生送りボタン３ａが押されると最初に記録された画が再生される。多画を一括再生するマルチ画再生はマルチ画面再生ボタン３ｂを押すことにより、ＣＰＵ１２は所定の信号をメモリコントロール１０へ送り、メモリコントロール１０は定められた多数の画像データをメモリ１１から読み出し、再生回路１４へ送り、液晶モニタ１５にマルチ再生画が表示される。この場合も一画再生と同様に画像データより、記録最終画であることを読み取り、記録最終画と最初の記録画との間にブランク画が表示され、ブランク画直前の再生画が、記録最終画とユーザーは確認することができる。
【００１４】
図３は一画再生時の記録最終画表示例を示す。図３（ａ）は画Ａの記録最終画が再生されており、再生送りボタンを押すことで図３（ｂ）に移る。図３（ｂ）は図３画Ｂの記録最終画表示を示し、記録画を再生しないブランク画となっている。ここで、前に再生した図３（ａ）の画Ａが最終画と確認できる。再び、再生送りボタンを押すことにより、図３（ｃ）に移る。図３  （ｃ）は画Ｃの最初の記録画が再生される。
【００１５】
図４はマルチ画再生時の記録最終画表示である。この場合は９コマの記録画を一括に再生されている。７コマ目の画Ｄが記録最終画であり、８コマ目の画Ｅはブランク画であり、ユーザーは画Ｄが記録最終画であり、ブランク画の次に再生されている画Ｆが最初の記録画であることが確認できる。これらの例では、記録最終画を次に再生する画をブランク画にすることで記録再生画であることを表示したが、記録最終画に記録再生画であることを表示してもよい。
【００１６】
【発明の効果】
以上、説明したように本発明の構成ならびに方法によれば、記録媒体に記録された静止画像を連続に一画ごと再生する一画再生方法において、記録媒体に記録された最終画に記録最終画表示を設け、最終画を確認できることにより、不用意に最初の画を再生してしまうなどの問題が解決される。
【図面の簡単な説明】
【図１】本発明によるデジタルカメラの外観図である。
【図２】図１のカメラの回路ブロック図である。
【図３】一画面再生時の記録最終画表示例を示す図である。
【図４】マルチ画面再生時の記録最終画表示例を示す図である。
【符号の説明】
１    カメラ
２  液晶モニタ
３ａ    再生送りボタン
３ｂ  マルチ画面再生ボタン
４  レンズ
５  絞り
６  ＣＣＤ
７  ＣＤＳ回路
８  Ａ／Ｄ変換器
９  圧縮部
１０  メモリコントロール
１１  メモリ
１２  ＣＰＵ
１３  操作ボタン
１４    再生回路
１５  液晶モニタ
【図１】
0003588239.tif 000002
【図２】
0003588239.tif 000003
【図３】
0003588239.tif 000004
【図４】
0003588239.tif 000005